(57)【特許請求の範囲】
【請求項１】
撮像手段で生成した撮影画像を画像ファイルとして記録可能に構成された画像記録装置において、
ファイル情報データとデータＩＤとデータレベルから構成され時系列に変化する時系列変化データの記録レベルを記憶するレベル記憶手段と、
情報発信装置から発信された時系列変化データを受信する受信手段と、
前記受信手段で受信した時系列変化データのデータＩＤが変化したか否かを判断する判断手段と、
前記判断手段によりデータＩＤが変化したと判断された場合、前記時系列変化データのデータレベルと前記レベル記憶手段により記憶された記録レベルとを比較する比較手段と、
前記記録レベルが前記データレベルと同じ又は高い場合には前記時系列変化データのファイル情報データを記録し、前記記録レベルが前記データレベルよりも低い場合には前記時系列変化データのファイル情報データを記録しないファイル情報記録制御手段と、
撮像指示が入力された際は、前記撮像手段により得られた画像ファイルに、前記ファイル情報記録制御手段により記録されたファイル情報データを付加して記録する撮影画像記録手段と、
を有することを特徴とする画像記録装置。
【請求項２】
前記時系列変化データの授受は無線通信により行われることを特徴とする請求項１に記載の画像記録装置。
【請求項３】
前記時系列変化データは、パケット形式のデータであることを特徴とする請求項１に記載の画像記録装置。
【請求項４】
撮像手段で生成した撮影画像を画像ファイルとして記録する画像記録方法において、
情報発信装置から発信された、ファイル情報データとデータＩＤとデータレベルから構成され時系列に変化する時系列変化データを受信する受信工程と、
前記受信工程で受信した時系列変化データのデータＩＤが変化したか否かを判断する判断工程と、
前記判断工程によりデータＩＤが変化したと判断された場合、前記時系列変化データのデータレベルと予め記憶された記録レベルとを比較する比較工程と、
前記記録レベルが前記データレベルと同じ又は高い場合には前記時系列変化データのファイル情報データを記録し、前記記録レベルが前記データレベルよりも低い場合には前記時系列変化データのファイル情報データを記録しないファイル情報記録制御工程と、
撮像指示が入力された際は、前記撮像手段により得られた画像ファイルに、前記ファイル情報記録制御工程により記録されたファイル情報データを付加して記録する撮影画像記録工程と、
を有することを特徴とする画像記録方法。
【請求項５】
情報発信装置と、撮像手段で生成した撮影画像を画像ファイルとして記録可能に構成された画像記録装置と、を含む画像記録システムにおいて、
前記情報発信装置は、
ファイル情報データとデータＩＤとデータレベルから構成され時系列に変化する時系列変化データを発信する発信手段を有し、
前記画像記録装置は、
時系列変化データの記録レベルを記憶するレベル記憶手段と、
前記情報発信装置から発信された前記時系列変化データを受信する受信手段と、
前記受信手段で受信した時系列変化データのデータＩＤが変化したか否かを判断する判断手段と、
前記判断手段によりデータＩＤが変化したと判断された場合、前記時系列変化データのデータレベルと前記レベル記憶手段により記憶された記録レベルとを比較する比較手段と、
前記記録レベルが前記データレベルと同じ又は高い場合には前記時系列変化データのファイル情報データを記録し、前記記録レベルが前記データレベルよりも低い場合には前記時系列変化データのファイル情報データを記録しないファイル情報記録制御手段と、
撮像指示が入力された際は、前記撮像手段により得られた画像ファイルに、前記ファイル情報記録制御手段により記録されたファイル情報データを付加して記録する撮影画像記録手段と、
を有することを特徴とする画像記録システム。
【発明の詳細な説明】
【０００１】
【発明の属する技術分野】
本発明は、画像記録装置、画像記録方法及び画像記録システムに関するものであり、特にデジタルカメラに用いて好適なものである。
【０００２】
【従来の技術】
従来、デジタルカメラで画像の撮影を行った場合において、撮影した画像には画像の作成日時の情報を記録することが可能である。しかし、他に記録される情報がないため、一日に何枚もの画像を撮影し記録した場合や、旅行などで何日にも渡って大量の画像を撮影して記録した場合には、後で整理をするときになってからどのような状況で撮影した画像であるのかを忘れてしまう場合があった。
【０００３】
【発明が解決しようとする課題】
このような場合に、どの画像がどこでどのような状況で撮影されたかを判定するには撮影者或いは被撮影者などの記憶に頼って整理しているのが現状であった。このため、デジタルカメラで撮影した画像データを整理するのに多くの時間及び労力を必要としていた。
【０００４】
また、画像データをメモリに格納するために、各画像データに名前を付していたが、名前を付す作業が大変である上に、必要な画像データを後で検索する際に、効率よく検索することができない問題があった。
【０００５】
本発明は上述の問題点にかんがみてなされたもので、撮影した画像がいつどこで撮影されたものかを容易に判別できるようにすることを目的とする。
【０００６】
【課題を解決するための手段】
本発明の画像記録装置は、撮像手段で生成した撮影画像を画像ファイルとして記録可能に構成された画像記録装置において、ファイル情報データとデータＩＤとデータレベルから構成され時系列に変化する時系列変化データの記録レベルを記憶するレベル記憶手段と、
情報発信装置から発信された時系列変化データを受信する受信手段と、前記受信手段で受信した時系列変化データのデータＩＤが変化したか否かを判断する判断手段と、前記判断手段によりデータＩＤが変化したと判断された場合、前記時系列変化データのデータレベルと前記レベル記憶手段により記憶された記録レベルとを比較する比較手段と、前記記録レベルが前記データレベルと同じ又は高い場合には前記時系列変化データのファイル情報データを記録し、前記記録レベルが前記データレベルよりも低い場合には前記時系列変化データのファイル情報データを記録しないファイル情報記録制御手段と、撮像指示が入力された際は、前記撮像手段により得られた画像ファイルに、前記ファイル情報記録制御手段により記録されたファイル情報データを付加して記録する撮影画像記録手段と、を有する。
本発明の画像記録方法は、撮像手段で生成した撮影画像を画像ファイルとして記録する画像記録方法において、情報発信装置から発信された、ファイル情報データとデータＩＤとデータレベルから構成され時系列に変化する時系列変化データを受信する受信工程と、前記受信工程で受信した時系列変化データのデータＩＤが変化したか否かを判断する判断工程と、前記判断工程によりデータＩＤが変化したと判断された場合、前記時系列変化データのデータレベルと予め記憶された記録レベルとを比較する比較工程と、前記記録レベルが前記データレベルと同じ又は高い場合には前記時系列変化データのファイル情報データを記録し、前記記録レベルが前記データレベルよりも低い場合には前記時系列変化データのファイル情報データを記録しないファイル情報記録制御工程と、撮像指示が入力された際は、前記撮像手段により得られた画像ファイルに、前記ファイル情報記録制御工程により記録されたファイル情報データを付加して記録する撮影画像記録工程と、を有する。
本発明の画像記録システムは、情報発信装置と、撮像手段で生成した撮影画像を画像ファイルとして記録可能に構成された画像記録装置と、を含む画像記録システムにおいて、前記情報発信装置は、ファイル情報データとデータＩＤとデータレベルから構成され時系列に変化する時系列変化データを発信する発信手段を有し、前記画像記録装置は、時系列変化データの記録レベルを記憶するレベル記憶手段と、前記情報発信装置から発信された前記時系列変化データを受信する受信手段と、前記受信手段で受信した時系列変化データのデータＩＤが変化したか否かを判断する判断手段と、前記判断手段によりデータＩＤが変化したと判断された場合、前記時系列変化データのデータレベルと前記レベル記憶手段により記憶された記録レベルとを比較する比較手段と、前記記録レベルが前記データレベルと同じ又は高い場合には前記時系列変化データのファイル情報データを記録し、前記記録レベルが前記データレベルよりも低い場合には前記時系列変化データのファイル情報データを記録しないファイル情報記録制御手段と、撮像指示が入力された際は、前記撮像手段により得られた画像ファイルに、前記ファイル情報記録制御手段により記録されたファイル情報データを付加して記録する撮影画像記録手段と、を有する。
【００１３】
【発明の実施の形態】
【００１４】
以下、図面を用いて本発明の画像記録装置の実施の形態について詳細を説明する。
【００１５】
（第１の実施の形態）
本実施の形態によれば、旅行中のスケジュールを登録しておき、旅行中は使用者は撮影を行うだけでよく、他のことは何もせずに撮影場所の情報を記録することが可能となる例を示している。
図１には、本実施の形態におけるハードウェア構成のブロック図を示す。１０１が本実施の形態における画像記録装置としてのデジタルカメラの全体構成を示している。
【００１６】
図１において、１０２は画像入力部であり、レンズ１０３、光電変換素子であるＣＣＤ１０４、Ａ／Ｄ変換部１０５、画像処理部１０６等により構成されている。
【００１７】
１０７はＣＰＵであり、デジタルカメラ全体の制御を行っている。１０８はシャッタースイッチ（ＳＷ）、１０９はモードスイッチ（ＳＷ）であり、ユーザが撮影を行う場合に操作するスイッチである。
【００１８】
１１０はＲＡＭ、１１１はＲＯＭであり、プログラムやデータなどを記憶しておく記憶媒体である。１１２はＬＣＤ制御部、１１３はＬＣＤであり、画像表示を行うための構成部である。
【００１９】
１１４は外部メディア制御、１１５は現在時刻を計測するタイマ、１１７はデジタイザであり、１１６はデジタイザ１１７を制御するデジタイザ制御部である。１１８はデジタルカメラに接続されてファイルを記録するリムーバブルメディアである。
【００２０】
上述のように構成された本実施の形態のデジタルカメラの使用例を説明する。最初に、スケジュール登録動作について述べる。
図２は、デジタルカメラ１０１におけるスケジューラ画面の表示例を示す図である。
図２において、２０１は表示画面全体、２０２は日付けを入力する領域、２０３は旅行のタイトルを入力する領域、２０４は時刻を表示する領域、２０５はスケジュール＃１（大日程）を入力する領域、２０６はスケジュール＃２（詳細日程）を入力する領域である。
【００２１】
図２では、アメリカ旅行の日程で、例えば、朝のある時間帯はサンフランシスコにてゴールデンゲートブリッジを観光し、その次の時間帯はフィッシャーマンズワーフ、その次は、コイットタワーを観光する。そして、夕方のある時間帯でロスアンゼルスへ移動し、その次の時間帯でチャイナタウンを観光するというスケジュールが入力されている。各入力領域への入力に関しては、入力用ペン（不図示）を用いて、デジタイザに入力することで行う。
【００２２】
次に、画像撮影動作について、図３に示すフローチャート基づき説明する。
まず、ステップＳ３０１にて撮影者によりシャッターＳＷ１０８が押されたか否かを判定する。判定の結果、押されたと判定されると、ステップＳ３０２に進み、押されていない場合にはステップＳ３０１にて待機する。
【００２３】
次に、ステップＳ３０２では、ＣＰＵ１０７からＣＣＤ１０４に対して画像撮り込み指令を行い、画像の取り込みを開始する。
【００２４】
次に、ステップＳ３０３では、ＣＣＤ１０４での画像を取り込み後、Ａ／Ｄ変換部１０５にてＡ／Ｄ変換を行う。さらに、次のステップＳ３０４では、画像処理部１０６で所定の画像処理を行う。
【００２５】
その後、ステップＳ３０５では、ＤＭＡ（Direct_Memory_Access）処理により外部メディア制御部１１４を通じてリムーバブルメディア１１８へファイルとして書き込まれる。その際に、ファイルの作成日時が併せて記録される。
【００２６】
次に、ステップＳ３０６では、タイマ１１５から現在日時を読み込んで画像ファイルの作成日時（撮影日時）をＣＰＵ１０７が記録するが、同時にスケジューラの登録内容から現在日時にスケジュールが登録されているか否かを判定する。この判定の結果、登録されていると判定された場合には、ステップＳ３０７へ進み上記登録されている情報をファイルの付帯情報として記録する。
【００２７】
例えば、図２に示すスケジュールにおいて10：30〜11：30にアメリカ旅行、サンフランシスコ、フィッシャーマンズワーフの情報が登録されているとする。そして、撮影日時（撮影時刻）が2000年12月23日11：00であった場合には、上記登録されている情報の時間帯に撮影日時が含まれるため、撮影した画像ファイルには撮影日時とともにアメリカ旅行、サンフランシスコ、フィッシャーマンズワーフの情報が記録される。これらのデータ記録形式は、階層構造で記録しておくことも可能である。
また、情報を付帯情報としてではなく画像内に埋め込んだ（表示する）形式で記録することも考えられる。
【００２８】
また、ステップＳ３０６の判定の結果、でスケジュールが登録されていないと判定された場合には、終了動作となる。
【００２９】
以上の動作により、従来は作成日時（撮影日時）しか記録されなかったデジタルカメラの画像ファイルに、撮影時のスケジュールデータが自動的に記録されるので、後で整理するときなどに役立つ効果がある。
【００３０】
（第２の実施の形態）
上述の第１の実施の形態では、スケジュール表に登録してあるデータをそのまま画像の付帯情報として記録したが、これをそのままのデータではなく加工した情報を記録するようにすることも考えられる。
【００３１】
本実施の形態では、スケジューラに登録した誕生日データから撮影日までの日数を計算して付帯情報として記録する例について述べる。尚、説明は上述した第１の実施の形態と異なる点についてのみ行う。
【００３２】
最初に、スケジューラへの登録動作について述べる。
図４に、本実施の形態におけるスケジューラ画面の表示例を示す。図４において、４０１は表示画面全体である。４０２は名前を入力する領域、４０３は生年月日を入力する領域、４０４は付帯情報として記録するか否かを入力する領域である。
【００３３】
ここで、記録したい対象者の撮影欄を入力用ペン（不図示）でタップすると４０５のようにチェックマークが表示され、情報が記録される。ここでは一名しかチェックされていないがもちろん複数人に対してチェックすることも可能である。
【００３４】
次に、撮影時の動作について、図５のフローチャートに基づき説明する。
ステップＳ５０１にて撮影者は、撮影をする前にスケジューラの情報を付帯情報として記録したい場合は、事前に上記のように被撮影者の名前を選択しておく。そして、シャッターＳＷを押して撮影を行う（ステップＳ３０１）。画像の撮り込み動作に関しては第１の実施の形態と同様である（ステップＳ３０２〜ステップＳ３０５）。
【００３５】
次に、ステップＳ５０２にてスケジューラに情報を記録するためのチェックマークが入っているか否かを判定する。この判定の結果、チェックマークが入っている場合には、ステップＳ５０３に進み、選択されている被撮影者の誕生日をスケジューラの情報から読み出して現在の日付と比較し、撮影日が生後何日目にあたるかを計算する。一方、ステップＳ５０２の判定の結果、チェックマークが入っていない場合には、操作終了となる。
【００３６】
次に、ステップＳ５０４にて上記計算された情報を付帯情報として記録する。図４の場合では「○山×雄」のデータが選択され、撮影時の現在日時との間の経過日が計算され記録される。記録の終了後、処理の終了操作を行う。
【００３７】
以上述べてきたようにスケジューラに登録した情報をそのまま付帯情報として記録するのではなく、加工した形式で記録するため撮影者にとり、より効果的な形での整理が出来る効果がある。
【００３８】
本実施の形態では、スケジューラに登録された情報から経過日を計算したものであるが、もちろんこれに限定されるものではない。また、複数の情報を組み合わせて付帯情報を導き出すような処理も考えられる。
【００３９】
（第３の実施の形態）
上述までの実施の形態では、撮影前にスケジューラへ情報を入力していたが、これを撮影後に入力してもその時刻に撮影した画像には、上記情報を付帯して記録することも考えられる。
本実施の形態では第１の実施の形態に即した旅行の例で説明する。
【００４０】
情報付帯動作について、図６のフローチャートに基づき説明する。
図２に示したスケジューラ画面において上記スケジュールを撮影後、即ち、2000年12月23日以後に入力したとすると、ステップＳ６０１にてスケジューラ入力ありと判定され、ステップＳ６０２に進み、記録されている画像ファイルの作成日時をリムーバブルメディア１１８から読み出す。
【００４１】
次に、ステップＳ６０３にて上記作成日時がスケジューラに入力された日時の範囲に含まれるか否かを判定する。この判定の結果、含まれる場合は、ステップＳ６０４に進み、スケジューラの情報を画像ファイルに付帯して記録し、ステップＳ６０５へ進む。また、ステップＳ６０３判定の結果、含まれていない場合は、ステップＳ６０５へ進む。
【００４２】
ステップＳ６０５では、全画像ファイルをチェックしたか否かを判定する。そして、この判定の結果、全ファイルが終了していれば処理を終了し、全ファイルのチェックが終了していない場合には、ステップＳ６０２に戻り上記の処理を繰り返す。
【００４３】
また、上記の説明では撮影時に何も付帯情報に関する処理をしないこととして撮影時の説明を省いたが、撮影時の処理においてスケジューラからの情報を付帯して記録した画像には、情報付帯フラグを立てて記録しておくことも考えられる。
【００４４】
撮影後のスケジューラ入力処理に対しては、上記情報付帯フラグが立っていない画像に対してのみ検索をかけるようにすれば、情報の二重記録が防げるとともに、追加記録にかかる時間の短縮にもつながる効果が期待できる。
【００４５】
図７に、情報付帯フラグを用いた場合の処理手順を説明するフローチャートを示す。
ステップＳ７０１では、情報付帯フラグが立っているか否かのチェックを行う。この判定の結果、フラグがある場合には、ステップＳ６０２へ進み、フラグがない場合には、ステップＳ６０５へ進む。
【００４６】
以上のように構成すれば、撮影後でもスケジューラに対して入力を行うと、自動的に画像ファイルに対して上記情報の付帯記録を行うことが可能となり、特に大量の画像ファイルが存在する場合などに簡単に画像の整理を行えるようになる効果がある。
【００４７】
（第４の実施の形態）
上述までの実施の形態に加えて、撮影した画像を閲覧する時には登録されたスケジューラ情報に連動した形で閲覧できるように表示させることも考えられる。
【００４８】
図８には、本実施の形態の画像閲覧画面の表示例を示す。８０１は表示画面全体である。８０２は日時入力領域、８０３はタイトル入力領域、８０４は大日程入力領域、８０５は詳細日程入力領域、８０６はサムネイル画像表示領域、８０７は検索ボタンである。
【００４９】
各入力領域には、リムーバブルメディア１１８より読み込んだ付帯情報が表示される。各領域の右端の矢印ボタンをクリックすると、図９のようにリスト表示される。
【００５０】
図８に示すように、日時領域から「2000年12月23日（土）」、タイトル入力領域から「アメリカ旅行」、大日程入力領域から「サンフランシスコ」、詳細日程入力領域から「すべて」を選択して、検索ボタンをクリックすると、リムーバブルメディア１１８に記録されている画像ファイルの検索を行い、検索条件に合致する画像をサムネイル表示する。
【００５１】
図１０に、画像検索動作の一例を説明するフローチャートを示す。
ステップＳ１００１では、リストを選択し、その後、ステップＳ１００２にて検索ボタンをクリックにより検索を行うか否かの判定をする。この判定の結果、検索を行う場合には、ステップＳ１００３へ進み、画像ファイルのチェックを行いステップＳ１００４へ進む。また、ステップＳ１００２の判定の結果、検索を行わない場合には、別のリストを選択するためステップＳ１００１へ戻る。
【００５２】
ステップＳ１００４では、画像ファイルが検索の条件に合致するか否かの判定を行う。この判定の結果、条件に合致する場合には、ステップＳ１００５へ進み、画像ファイルの内容を表示しステップＳ１００６へ進む。一方、ステップＳ１００４の判定の結果、条件に合致しない場合には、ステップＳ１００６へ直接進む。
【００５３】
ステップＳ１００６では、全画像ファイルを検索完了したか否かを判定し、判定の結果、完了している場合には処理を完了する。また、全画像ファイルの検索が完了していない場合にはステップＳ１００３へ戻る。
【００５４】
以上の構成によれば、撮影者は撮影した画像を閲覧する場合でもスケジューラに登録された情報を選択していくだけで所望の画像が得られるため、撮影者が画像を見ただけではいつどこで撮影したかを忘れてしまった画像に対しても簡単に整理をすることが出来る。
【００５５】
（第５の実施の形態）
本実施の形態では、観光地での撮影時に情報を受信しながら撮影する例を用いて説明する。
【００５６】
図１１に、本実施の形態における画像記録システムのハードウェア構成の一例を説明するブロック図を示す。
図１１において、１１０１は情報発信装置、１１０２は発信する情報を記憶する情報記憶部、１１０３は上記情報記憶部１１０２に記憶された情報を発信する情報発信部、１１０４は発信する情報を入力する情報入力部である。
【００５７】
また、１１０５は外部との通信を行なうための受信部を有するデジタルカメラであって、１１０６は上記情報発信装置１１０１から発信された情報を受信する情報受信部、１１０７は受信した情報を記憶する受信情報記憶部、１１０８は受信した情報を解析する情報解析部、１１０９はデジタルカメラ、１１１０は撮影した画像及び情報を記録する記録部である。
【００５８】
まず、情報を配信する情報発信装置１１０１の制御について、図１２のフローチャートに基づいて説明する。
予め情報記憶部１１０２には配信すべきデータが記憶されている。
【００５９】
ステップＳ１２０１では、情報発信装置１１０１の電源スイッチ（不図示）がＯＮであるか否かの判定を行う。この判定の結果、電源がＯＮである場合にはステップＳ１２０２に進み、情報発信部１１０３は情報記憶部１１０２からデータを読み込み、ステップＳ１２０３にて上記データを外部へ発信する。尚、情報記憶部１１０２は、情報入力部１１０４からの入力データを記憶させることが可能である。
【００６０】
一方、ステップＳ１２０１の判定の結果、電源がＯＦＦの場合は、電源がＯＮになるまで待機する。
【００６１】
ステップＳ１２０４では、装置の電源スイッチがＯＦＦであるか否かの判定を行う。この判定の結果、電源がＯＦＦの場合には、ステップＳ１２０５へ進み、データの発信を終了して電源を落とす。
【００６２】
一方、ステップＳ１２０４の判定の結果、電源がＯＮである場合には、ステップＳ１２０３へ戻る。
【００６３】
尚、情報の発信には無線通信が使用され、方式としてはＰＨＳやBluetoothなどが挙げられる。その特徴として装置の数十ｍから数百ｍ程度の限られた範囲に電波が届くことから、撮影場所の状況を発信する本実施の形態に好適である。
【００６４】
また、データはパケット形式で発信される。図１３に発信されるパケットデータのフォーマットの一例を示す。
【００６５】
本実施の形態では、或る一つの情報発信装置からは撮影スポットに関する同じ情報が常に配信されている。
Ｄ１は情報発信装置のＩＤを示す。Ｄ２は全情報のパケット量を示している。Ｄ３は全パケットのうち何番目のパケットであるかを示している。Ｄ４は実際のデータである。
【００６６】
次に、受信部を有するデジタルカメラ１１０５側の処理について説明する。
最初に、情報の受信動作について、図１４のフローチャートに基づき説明する。
【００６７】
まず始めに、使用者が画像の撮影を行おうとして電源をＯＮしたか否かの判定を行う（ステップＳ１４０１）。この判定の結果、電源をＯＮしている場合は、ステップＳ１４０２へ進み、電源のＯＦＦの場合は、ステップＳ１４０１で待機する。
【００６８】
次に、ステップＳ１４０２では、情報受信部１１０６に情報が受信されているか否かの判定を行う。この判定の結果、情報を受信している場合には、即ち、情報が配信されていると判定すると、ステップＳ１４０３に進む。一方、情報を受信していない場合には、ステップＳ１４１１へ進む。
【００６９】
次に、ステップＳ１４０３では、全情報を受信したか否かの判定を行う。この判定の結果、全情報を受信している場合には、ステップＳ１４０４に進む。一方、全情報を受信していない場合には、ステップＳ１４０２へ戻る。
【００７０】
次に、ステップＳ１４０４では、情報解析部１１０８において上記受信した情報の解析を行い、さらにステップＳ１４０５では、受信フラグをセットする。受信フラグは記憶部１１０７内に記憶する。
【００７１】
次に、ステップＳ１４０６では、電源ＯＦＦとされたか否かの判定が行われる。この判定の結果、電源がＯＦＦされた場合には、動作終了となる。一方、電源がＯＦＦされない場合には、ステップＳ１４０７へ進む。
【００７２】
ここでは、図１５に示したパケットデータを受信したとする。即ち情報発信装置から発信された情報は、ＩＤが１からの情報であり、全パケット量が４、パケットデータが１番目のものであり、データは「東京タワー」であることが分かる。情報受信部１１０６は、情報発信装置１１０１のＩＤが変化しない限り、一旦全情報を受信した後は新しい情報を受信しない。
【００７３】
そして、ステップＳ１４０７にて予め決められた一定時間（数秒程度）経過したか否かを判定する。この判定の結果、一定時間経過をしている場合には、ステップＳ１４０８に進み、一定時間を経過していない場合にはステップＳ１４０６に戻る。
【００７４】
次に、ステップＳ１４０８にて情報を受信したか否かの判定を行う。判定の結果、情報を受信した場合には、ステップＳ１４１０に進み、受信しなかった場合には、ステップＳ１４０９へ進む。ステップＳ１４０９では、撮影者及びデジタルカメラが情報発信装置から離れたとみなして受信フラグを下ろす。その後、ステップＳ１４０６に戻る。
【００７５】
一方、ステップＳ１４１０では、受信データの発信装置ＩＤから現在記憶しているデータの発信装置ＩＤと変化しているか否かの判定を行う。この判定の結果、変化していた場合には、撮影者が新たな発信装置の近傍に移動したとしてステップＳ１４０３に戻りデータの受信を行う。一方、変化していない場合には、それ以上データの受信はせずにステップＳ１４０６に戻る。
【００７６】
一方、ステップＳ１４０２の判定の結果、ステップＳ１４１１に進んだ場合には、電源がＯＦＦされたか否かの判定を行い、ＯＦＦされた場合には、処理を終了する。一方、ＯＦＦされていない場合には、ステップＳ１４０２へ戻る。
【００７７】
次に、画像の取り込み動作について説明する。
使用者が撮影を行おうとしてデジタルカメラのシャッターボタン（不図示）を押したとする。すると、撮影された画像は画像圧縮などの処理を行った後でファイルとして記録部１１１０に記録される。このとき、撮影日時がファイルの作成日時情報として記録される。
【００７８】
さらに、受信フラグが立っているか否かを判定する。この判定の結果、受信フラグが立っていた場合には、受信情報記憶部１１０７から情報を読み出し、上記情報もファイルの情報として記録部１１１０に記録する。本実施の形態では、東京タワーで撮影した画像であることが記録される。
【００７９】
一方、受信フラグが立っていない場合には、情報を発信する装置が近傍にはないと判断し、受信情報記憶部１１０７内にデータが存在していても上記データはファイル情報としての記録は行わない。
【００８０】
以上述べてきた構成によれば、従来は撮影時の情報としては画像以外には日時情報しかなかったものに対して、本実施の形態のシステムにおいては撮影場所に対応した情報も併せて記録しておくことが出来るため、後での整理などに役立てることが出来る。また、発信装置は無線で情報を配信するため、複数の受信部を有するデジタルカメラに対応することが可能である。
【００８１】
さらに、発信装置を複数備えた場合には、各々から異なる情報を発信することができ、また、その情報を受信することが出来る場所にあるデジタルカメラだけが上記情報を記録することが出来る。
【００８２】
（第６の実施の形態）
上述した第５の実施の形態では、ひとつの情報発信装置１１０１から配信される情報は変化しないものであったが、これを時系列で変化する情報としてもよい。例えば、運動会の会場で現在行われている競技種日を配信する例や、コンサート会場で現在演奏されている楽曲の名称を配信する例などが考えられる。
【００８３】
以下、本実施の形態について詳細に説明する。尚、説明は上述の実施の形態と異なる点のみを説明する。
【００８４】
図１６には、本実施の形態におけるハードウェア構成のブロック図を示す。１６０１は情報発信装置１１０１に配設された入力検知部である。他の構成に関しては、第５の実施の形態のハードウェア構成を示した図１１と同様である。また、図１７には本実施の形態におけるパケットデータのフォーマット例を示す。
【００８５】
次に、図１８に本実施の形態における情報発信装置１１０１の動作のフローチャートを示す。本実施の形態では、運動会での競技種目が変更される毎に、次に行われる競技種目の情報を情報発信装置１１０１に入力する例を説明する。
【００８６】
ステップＳ１２０１〜ステップＳ１２０３までは、図１２と同様であるので、ここでは説明を省略する。
【００８７】
次に、ステップＳ１８０１では、運動会の競技種目が変更されて、その競技種目の情報が情報発信装置１１０１の情報入力部１１０４に入力されたか否かを判定する。この判定の結果、入力検知部１６０１で検知した場合には、ステップＳ１８０２に進む。
【００８８】
ステップＳ１８０２では、入力検知部１６０１は情報の入力を情報発信部１１０３に通知する。また、情報発信部１１０３はこの通知を受けると、情報の発信を停止する。
【００８９】
次に、ステップＳ１８０３にて、情報発信部１１０３は情報記億部１１０２から新しい情報を読み込んで発信データの書き換えを行い、情報の発信を再開する。
その後のステップＳ１２０４〜ステップＳ１２０５は、図１２と同様であるので、ここでは説明を省略する。
【００９０】
次に、受信部を有するデジタルカメラ１１０５側の処理について説明する。
まず、情報の受信動作について、図２０のフローチャートに基づき説明する。尚、図１４と同様のステップに関しては、説明を省略する。
【００９１】
受信部を有するデジタルカメラ１１０５の使用者が電源を投入し、最初の情報を受信すると、情報解析部１１０８において、上記受信した情報の解析を行う（ステップＳ１４０１〜ステップＳ１４０４）。このとき受信した情報の一例として、図１９に示すようなパケットデータであったとする。即ち、情報発信装置１１０１から発信された情報は、ＩＤが１からの情報であり、全パケット量が２、パケットデータが２番目のもの、データの種類が１、データＩＤが２、データの内容は「１００ｍ徒競争」である。ステップＳ１４０４での解析の結果、受信した情報は時系列で変化する情報であることがわかる。
【００９２】
さらに、情報受信部１１０６は、予め決められた一定時間毎に情報の受信動作を行い、情報発信装置１１０１のＩＤが変化したか否かの判定を行う（ステップＳ１４１０）。この判定の結果、情報発信装置１１０１のＩＤの変化がない場合には、ステップＳ２００１に進む。
【００９３】
次に、ステップＳ２００１では、データのＩＤが変化したか否かを判定する。この判定の結果、データのＩＤが変化した場合には、ステップＳ１４０３に戻り情報の更新を行う。一方、データのＩＤが変化しない場合には、ステップＳ１４０６に戻る。
【００９４】
画像の撮影動作及び上記画像と情報の記憶動作は上述の第５の実施の形態と同様である。
以上のように構成することで時々刻々変わって行く情報を受信しながら画像を撮影し、上記情報とともに記憶しておくことが可能となることから、刻々と変化していく撮影時の状況を画像とともに記憶しておくことができ、画像の整理などに役立つ効果がある。
【００９５】
（第７の実施の形態）
上述までの実施の形態では、受信部を有するデジタルカメラ１１０５側では受信した情報をそのまま画像とともに記憶していたが、情報発信装置１１０１からの情報にレベルを付けて配信し、受信部を有するデジタルカメラ１１０５側で選別して記録するようにすることも考えられる。
【００９６】
例えば、受信部を有するデジタルカメラ側１１０５が記録するときに受信情報の記録のレベルを選別できるようにすることも考えられる。
図２１に、本実施の形態におけるパケットのフォーマット例を示す。
【００９７】
記録するレベルは受信情報記憶部１１０７に予め記憶してある。また、情報に付するレベルは撮影中に任意のタイミングで変更することが可能である。
図２２には、本実施の形態における受信動作フローチャートを示す。
尚、フローチャートの説明は、図２０に対して追加したステップのみについて説明を行う。
【００９８】
ステップＳ２２０１及びステップＳ２２０２では、受信したデータのレベルを基準にそのデータレベルと記録レベルを比較し、両者のレベルが同じかデータレベルの方が高かった場合には、ステップＳ１４０３に進んでデータの受信を行う。
【００９９】
（本発明の他の実施の形態）
本発明は複数の機器から構成されるシステムに適用しても１つの機器からなる装置に適用しても良い。
【０１００】
また、上述した実施の形態の機能を実現するように各種のデバイスを動作させるように、上記各種デバイスと接続された装置あるいはシステム内のコンピュータに対し、記憶媒体から、またはインターネット等の伝送媒体を介して上記実施の形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【０１０１】
また、この場合、上記ソフトウェアのプログラムコード自体が上述した実施の形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１０２】
また、コンピュータが供給されたプログラムコードを実行することにより、上述の実施の形態で説明した機能が実現されるだけでなく、そのプログラムコードがコンピュータにおいて稼働しているＯＳ（オペレーティングシステム）あるいは他のアプリケーションソフト等の共同して上述の実施の形態で示した機能が実現される場合にもかかるプログラムコードは本発明の実施の形態に含まれる。
【０１０３】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【０１０４】
【発明の効果】
本発明によれば、例えば、運動会の会場で現在行われている競技種目やコンサート会場で現在演奏されている楽曲の名称など、刻々と変わっていく撮影時の撮影環境情報を画像とともに記憶しておくことができ、さらにその中でも記録レベルに対応した撮影環境情報のみを選別して記録することができる。
【図面の簡単な説明】
【図１】本発明の第１の実施の形態におけるハードウェア構成のブロック図である。
【図２】本発明の第1の実施の形態におけるスケジューラ画面の表示例を示す図である。
【図３】本発明の第1の実施の形態における画像撮影動作フローチャートである。
【図４】本発明の第２の実施の形態におけるスケジューラ画面の表示例を示す図である。
【図５】本発明の第２の実施の形態における画像撮影動作の手順を説明するフローチャートである。
【図６】本発明の第３の実施の形態における情報付帯動作の手順を説明するフローチャートである。
【図７】本発明の第３の実施の形態における情報付帯フラグを用いた場合のフローチャートである。
【図８】本発明の第４の実施の形態における画像閲覧画面の表示例を示した図である。
【図９】本発明の第４の実施の形態における画像閲覧画面のリスト表示例を示した図である。
【図１０】本発明の第４の実施の形態における画像検索動作のフローチャートである。
【図１１】本発明の第５の実施の形態におけるハードウェア構成のブロック図である。
【図１２】本発明の第５の実施の形態における情報発信装置の動作のフローチャートである。
【図１３】本発明の第５の実施の形態における通信で用いられるパケットデータのフォーマットを示した図である。
【図１４】本発明の第５の実施の形態におけるデジタルカメラの情報受信動作の手順を示すフローチャートである。
【図１５】本発明の第５の実施の形態におけるパケットデータの例を示した図である。
【図１６】本発明の第６の実施の形態におけるハードウェア構成図である。
【図１７】本発明の第６の実施の形態における通信で用いられるパケットデータのフォーマットを示した図である。
【図１８】本発明の第６の実施の形態における情報発信装置の動作のフローチャートである。
【図１９】本発明の第６の実施の形態におけるパケットデータの例を示した図である。
【図２０】本発明の第６の実施の形態におけるデジタルカメラの情報受信動作の手順を説明するフローチャートである。
【図２１】本発明の第７の実施の形態における通信で用いられるパケットデータのフォーマットを示した図である。
【図２２】本発明の第７の実施の形態におけるデジタルカメラの情報受信動作のフローチャートである。
【符号の説明】
１０１  デジタルカメラ
１０２（１０３〜１０６）  画像入力部
１０７  ＣＰＵ
１０８  シャッターＳＷ
１０９  モードＳＷ
１１０  ＲＡＭ
１１１  ＲＯＭ
１１２  ＬＣＤ制御部
１１３  ＬＣＤ
１１４  外部メディア制御部
１１５  タイマ
１１６  デジタイザ制御部
１１７  デジタイザ
１１８  リムーバブルメディア
【図１】
0003913033.tif 000002
【図２】
0003913033.tif 000003
【図３】
0003913033.tif 000004
【図４】
0003913033.tif 000005
【図５】
0003913033.tif 000006
【図６】
0003913033.tif 000007
【図７】
0003913033.tif 000008
【図８】
0003913033.tif 000009
【図９】
0003913033.tif 000010
【図１０】
0003913033.tif 000011
【図１１】
0003913033.tif 000012
【図１２】
0003913033.tif 000013
【図１３】
0003913033.tif 000014
【図１４】
0003913033.tif 000015
【図１５】
0003913033.tif 000016
【図１６】
0003913033.tif 000017
【図１７】
0003913033.tif 000018
【図１８】
0003913033.tif 000019
【図１９】
0003913033.tif 000020
【図２０】
0003913033.tif 000021
【図２１】
0003913033.tif 000022
【図２２】
0003913033.tif 000023